(57)【要約】【課題】テレビジョン受信機に外部接続された再生装置から送信される再生データに映像データが含まれていない場合に、好適に消費電力を抑えることができるデータ再生システム及び当該システムに適用されるテレビジョン受信機を提供する。【解決手段】テレビジョン受信機３において、テレビジョン放送信号又は再生装置２からの再生データに含まれる映像データに基づく映像を出力する表示部３６と、テレビジョン放送信号又は再生装置２からの再生データに含まれる音声データに基づく音声を出力する音声出力部３９と、を備え、映像無識別信号（例えば、再生装置２からの映像無識別信号）を受信した場合に、放送信号受信部３１及び／又は表示部３６への通電量に関する通電モードを、低通電モードに切り替え、所定の映像有識別信号（例えば、再生装置２からの映像有識別信号）を受信した場合に、通電モードを通常通電モードに切り替えることを特徴とする。【選択図】図１
2010135875.tif 000002
【特許請求の範囲】
【請求項１】
映像データ及び／又は音声データを含む再生データを送信する再生装置と、当該再生装置と接続するテレビジョン受信機と、を備えるデータ再生システムにおいて、
前記テレビジョン受信機は、
映像データ及び音声データを含むテレビジョン放送信号を受信する放送信号受信手段と、
前記再生装置から送信された再生データを受信する再生データ受信手段と、
前記放送信号受信手段により受信されたテレビジョン放送信号又は前記再生データ受信手段により受信された再生データに含まれる映像データに基づく映像を出力する表示手段と、
前記放送信号受信手段により受信されたテレビジョン放送信号又は前記再生データ受信手段により受信された再生データに含まれる音声データに基づく音声を出力する音声出力手段と、
前記放送信号受信手段及び／又は前記表示手段への通電量に関する通電モードを、通常の通電量よりも低い通電量とする低通電モードと、通常の通電量とする通常通電モードと、に切り替える切替手段と、
を備え、
前記再生装置は、
再生データに映像データが含まれるか否かを判断する判断手段と、
前記判断手段により再生データに映像データが含まれていないと判断された場合に、予め定められた映像無識別信号を前記再生データ受信手段に対して送信するとともに、前記判断手段により再生データに映像データが含まれていると判断された場合に、予め定められた映像有識別信号を前記再生データ受信手段に対して送信する識別信号送信手段と、
を備え、
前記切替手段は、前記再生データ受信手段が前記識別信号送信手段から送信された映像無識別信号を受信した場合に、前記通電モードを前記低通電モードに切り替えるとともに、前記再生データ受信手段が前記識別信号送信手段から送信された映像有識別信号を受信した場合に、前記通電モードを前記通常通電モードに切り替えることを特徴とするデータ再生システム。
【請求項２】
請求項１に記載のデータ再生システムにおいて、
ユーザが、前記再生装置に、音声データのみのデータを再生させるか、或いは、映像データを含むデータを再生させるか、を指定するための再生データ指定手段を備え、
前記識別信号送信手段は、前記再生データ指定手段により音声データのみのデータを再生させるよう指定された場合に、前記映像無識別信号を前記再生データ受信手段に対して送信するとともに、前記再生データ指定手段により映像データを含むデータを再生させるよう指定された場合に、前記映像有識別信号を前記再生データ受信手段に対して送信することを特徴とするデータ再生システム。
【請求項３】
映像データ及び／又は音声データを含む再生データを送信する再生装置と接続するテレビジョン受信機において、
前記テレビジョン受信機は、
映像データ及び音声データを含むテレビジョン放送信号を受信する放送信号受信手段と、
前記再生装置から送信された再生データを受信する再生データ受信手段と、
前記放送信号受信手段により受信されたテレビジョン放送信号又は前記再生データ受信手段により受信された再生データに含まれる映像データに基づく映像を出力する表示手段と、
前記放送信号受信手段により受信されたテレビジョン放送信号又は前記再生データ受信手段により受信された再生データに含まれる音声データに基づく音声を出力する音声出力手段と、
前記放送信号受信手段及び／又は前記表示手段への通電量に関する通電モードを、通常の通電量よりも低い通電量とする低通電モードと、通常の通電量とする通常通電モードと、に切り替える切替手段と、
を備え、
前記切替手段は、前記再生データ受信手段が所定の映像無識別信号を受信した場合に、前記通電モードを前記低通電モードに切り替えるとともに、前記再生データ受信手段が所定の映像有識別信号を受信した場合に、前記通電モードを前記通常通電モードに切り替えることを特徴とするテレビジョン受信機。
【発明の詳細な説明】
【技術分野】
【０００１】
本発明は、データ再生システム及びテレビジョン受信機に関する。
【背景技術】
【０００２】
従来、テレビジョン放送信号を受信して映像や音声を出力するテレビジョン受信機が知られている。
このようなテレビジョン受信機としては、例えば、ＤＶＤプレーヤ等の再生装置と接続可能に構成され、外部接続された再生装置により再生された再生データを受信して映像や音声を出力できるものも知られている。
【０００３】
ところで、例えば、再生装置で、ＣＤ（Compact Disc）等に記録された映像データを含まないデータを再生して、テレビジョン受信機で音声のみを楽しむ場合、テレビジョン受信機の表示手段は必要がない。そのため、このような場合に、表示手段に通常の通電量で通電していると、無駄に電力を消費してしまうという問題がある。
そこで、例えば、記録ディスク再生装置を内蔵したテレビジョン受信機において、記録ディスク再生装置に、再生対象の記録ディスクに格納されているコンテンツが映像を含むものであるか否かを判別させ、当該判別の結果、映像を含まないコンテンツのみが格納された記録ディスクが再生対象となっている場合、表示手段に対し消費電力を減らすように制御するテレビジョン受信機（例えば、特許文献１参照）、モバイルオーディオ入力端子へのプラグの挿入を検知した場合に、映像信号の視聴のための処理を中止するＡＶ装置（例えば、特許文献２参照）等が提案されている。
【特許文献１】特開２００７−１６６３０１号公報
【特許文献２】特開２００７−８９１４６号公報
【発明の開示】
【発明が解決しようとする課題】
【０００４】
しかしながら、特許文献１は、記録ディスク再生装置を内蔵したテレビジョン受信機についての発明であるため、外部接続された再生装置から送信された再生データには適用できない。
特許文献２は、外部接続された再生装置が、音声データのみのデータを再生するモバイルオーディオである場合についての発明であるため、外部接続された再生装置が、例えば、映像データも音声データも再生可能なＤＶＤプレーヤ等である場合には適用できない。
また、外部から送信された再生データに映像データが含まれているか否かを確実に識別することは困難である。
【０００５】
本発明の課題は、テレビジョン受信機に外部接続された再生装置から送信される再生データに映像データが含まれていない場合に、好適に消費電力を抑えることができるデータ再生システム及び当該システムに適用されるテレビジョン受信機を提供することにある。
【課題を解決するための手段】
【０００６】
上記課題を解決するために、請求項１に記載の発明は、
映像データ及び／又は音声データを含む再生データを送信する再生装置と、当該再生装置と接続するテレビジョン受信機と、を備えるデータ再生システムにおいて、
前記テレビジョン受信機は、
映像データ及び音声データを含むテレビジョン放送信号を受信する放送信号受信手段と、
前記再生装置から送信された再生データを受信する再生データ受信手段と、
前記放送信号受信手段により受信されたテレビジョン放送信号又は前記再生データ受信手段により受信された再生データに含まれる映像データに基づく映像を出力する表示手段と、
前記放送信号受信手段により受信されたテレビジョン放送信号又は前記再生データ受信手段により受信された再生データに含まれる音声データに基づく音声を出力する音声出力手段と、
前記放送信号受信手段及び／又は前記表示手段への通電量に関する通電モードを、通常の通電量よりも低い通電量とする低通電モードと、通常の通電量とする通常通電モードと、に切り替える切替手段と、
を備え、
前記再生装置は、
再生データに映像データが含まれるか否かを判断する判断手段と、
前記判断手段により再生データに映像データが含まれていないと判断された場合に、予め定められた映像無識別信号を前記再生データ受信手段に対して送信するとともに、前記判断手段により再生データに映像データが含まれていると判断された場合に、予め定められた映像有識別信号を前記再生データ受信手段に対して送信する識別信号送信手段と、
を備え、
前記切替手段は、前記再生データ受信手段が前記識別信号送信手段から送信された映像無識別信号を受信した場合に、前記通電モードを前記低通電モードに切り替えるとともに、前記再生データ受信手段が前記識別信号送信手段から送信された映像有識別信号を受信した場合に、前記通電モードを前記通常通電モードに切り替えることを特徴とする。
【０００７】
請求項２に記載の発明は、
請求項１に記載のデータ再生システムにおいて、
ユーザが、前記再生装置に、音声データのみのデータを再生させるか、或いは、映像データを含むデータを再生させるか、を指定するための再生データ指定手段を備え、
前記識別信号送信手段は、前記再生データ指定手段により音声データのみのデータを再生させるよう指定された場合に、前記映像無識別信号を前記再生データ受信手段に対して送信するとともに、前記再生データ指定手段により映像データを含むデータを再生させるよう指定された場合に、前記映像有識別信号を前記再生データ受信手段に対して送信することを特徴とする。
【０００８】
請求項３に記載の発明は、
映像データ及び／又は音声データを含む再生データを送信する再生装置と接続するテレビジョン受信機において、
前記テレビジョン受信機は、
映像データ及び音声データを含むテレビジョン放送信号を受信する放送信号受信手段と、
前記再生装置から送信された再生データを受信する再生データ受信手段と、
前記放送信号受信手段により受信されたテレビジョン放送信号又は前記再生データ受信手段により受信された再生データに含まれる映像データに基づく映像を出力する表示手段と、
前記放送信号受信手段により受信されたテレビジョン放送信号又は前記再生データ受信手段により受信された再生データに含まれる音声データに基づく音声を出力する音声出力手段と、
前記放送信号受信手段及び／又は前記表示手段への通電量に関する通電モードを、通常の通電量よりも低い通電量とする低通電モードと、通常の通電量とする通常通電モードと、に切り替える切替手段と、
を備え、
前記切替手段は、前記再生データ受信手段が所定の映像無識別信号を受信した場合に、前記通電モードを前記低通電モードに切り替えるとともに、前記再生データ受信手段が所定の映像有識別信号を受信した場合に、前記通電モードを前記通常通電モードに切り替えることを特徴とする。
【発明の効果】
【０００９】
本発明によれば、テレビジョン受信機は、所定の映像無識別信号（例えば、再生装置から送信された映像無識別信号）を受信した場合に、放送信号受信手段及び／又は表示手段への通電量に関する通電モードを、低通電モードに切り替えるとともに、所定の映像有識別信号（例えば、再生装置から送信された映像有識別信号）を受信した場合に、放送信号受信手段及び／又は表示手段への通電量に関する通電モードを、通常通電モードに切り替えるようになっている。
したがって、テレビジョン受信機は、外部から送信される再生データに映像データが含まれているか否かを、外部から送信された映像無識別信号や映像有識別信号によって確実に識別することができるとともに、映像無識別信号を受信すると、通電モードを低通電モードに切り替えて、放送信号受信手段及び／又は表示手段への通電量を通常の通電量よりも低くすることができるため、外部から送信される再生データに映像データが含まれていない場合に、好適に消費電力を抑えることができる。
【発明を実施するための最良の形態】
【００１０】
以下、図を参照して、本発明を実施するための最良の形態を詳細に説明する。なお、発明の範囲は、図示例に限定されない。
【００１１】
＜データ再生システム＞
データ再生システム１は、例えば、図１に示すように、所定の記録媒体に記録されたデータを再生して、アナログ映像データ及び／又はアナログ音声データを含む再生データを送信する再生装置２と、再生装置２と接続するテレビジョン受信機３と、を備えて構成される。
具体的には、再生装置２とテレビジョン受信機３とは、例えば、アナログ映像データを伝送するためのＤ端子ケーブルＣ１と、アナログ音声データを伝送するためのＲＣＡケーブルＣ２と、等を介して接続されている。
【００１２】
＜再生装置＞
再生装置２は、例えば、ＤＶＤ（Digital Versatile Disc）又はＣＤ（Compact Disc）に記録されたデータの再生を行うＤＶＤプレーヤである。
具体的には、再生装置２は、例えば、図１に示すように、再生部２１と、再生データ処理部２２と、再生データ送信部２３と、操作部２４と、制御部２５と、等を備えて構成される。
【００１３】
再生部２１は、例えば、再生装置２に装着された記録媒体（ＤＶＤ又はＣＤ）に記録されたデータを読み取って、再生データ処理部２２に出力する。
【００１４】
再生データ処理部２２は、例えば、再生部２１から入力されたデータを、デジタル映像データやデジタル音声データなどの複数のデータに分離する。そして、例えば、当該分離されたデジタル映像データにデコード等の所定の処理を施し、アナログ映像データに変換して、再生データ送信部２４に出力する。また、例えば、当該分離されたデジタル音声データにデコード等の所定の処理を施し、アナログ音声データに変換して、再生データ送信部２４に出力する。
【００１５】
再生データ送信部２３は、例えば、Ｄ端子である映像出力端子２３ａ、ＲＣＡ端子である音声出力端子２３ｂ等を備えて構成され、例えば、アナログ映像データ及び／又はアナログ音声データを含む再生データをテレビジョン受信機３に対して送信する。
具体的には、再生データ送信部２３は、例えば、再生データ処理部２２から入力されたアナログ映像データを、映像出力端子２３ａから出力する。また、再生データ送信部２３は、例えば、再生データ処理部２２から入力されたアナログ音声データを、音声出力端子２３ｂから出力する。
【００１６】
操作部２４は、例えば、再生装置２用のリモートコントローラ及び当該リモートコントローラと通信可能なリモコン受信部、再生装置２の外面に設けられた操作ボタン等から構成され、例えば、ユーザにより操作されると、当該操作に伴う各種信号を制御部２５に出力する。
【００１７】
再生装置２では、例えば、操作部２４を操作して、再生装置２に、ＣＤに記録されたデータ（音声データのみのデータ）を再生させるか、或いは、ＤＶＤに記録されたデータ（映像データを含むデータ）を再生させるか、を指定できるようになっている。
すなわち、操作部２４は、例えば、再生データ指定手段として、ユーザが、再生装置２に、音声データのみのデータを再生させるか、或いは、映像データを含むデータを再生させるか、を指定する際に操作される。
【００１８】
また、再生装置２では、例えば、操作部２４を操作して、再生データに映像データが含まれているか否かの判断に関する「判断モード」として、当該判断を自動的に行う「自動判断モード」を再生装置２に設定するか、或いは、当該判断をユーザ（操作部２４）からの指示に従って行う「手動判断モード」を再生装置２に設定するか、を選択できるようになっている。
すなわち、操作部２４は、例えば、ユーザが、「判断モード」として、再生装置２に、「自動判断モード」を設定させるか、或いは、「手動判断モード」を設定させるか、を選択する際に操作される。
【００１９】
制御部２５は、例えば、再生装置２を構成する各部を集中制御する。
具体的には、制御部２５は、例えば、図１に示すように、ＣＰＵ（Central Processing Unit）２５１と、ＲＡＭ（Random Access Memory）２５２と、記憶部２５３と、等を備えて構成される。
【００２０】
ＣＰＵ２５１は、例えば、記憶部２５３に記憶された再生装置２用の各種処理プログラムに従って各種の制御動作を行う。
【００２１】
ＲＡＭ２５２は、例えば、ＣＰＵ２５１によって実行される処理プログラムなどを展開するためのプログラム格納領域、入力データや上記処理プログラムが実行される際に生じる処理結果などを格納するデータ格納領域等を備える。
【００２２】
記憶部２５３は、例えば、再生装置２で実行可能なシステムプログラム、当該システムプログラムで実行可能な各種処理プログラム、これら各種処理プログラムを実行する際に使用されるデータ、ＣＰＵ２５１によって演算処理された処理結果のデータ等を記憶する。なお、プログラムは、コンピュータが読み取り可能なプログラムコードの形で記憶部２５３に記憶されている。
【００２３】
具体的には、記憶部２５３は、例えば、図１に示すように、再生制御プログラム２５３ａと、判断プログラム２５３ｂと、識別情報送信制御プログラム２５３ｃと、等を記憶している。
【００２４】
再生制御プログラム２５３は、例えば、再生装置２を構成する各部を制御して、再生部２１に装着された記録媒体（ＤＶＤ又はＣＤ）に記録されたデータを再生させ、当該再生により得た再生データをテレビジョン受信機３に対して送信させる機能を、ＣＰＵ２５１に実現させる。
【００２５】
判断プログラム２５３ｂは、例えば、再生データに映像データが含まれるか否かを判断する機能を、ＣＰＵ２５１に実現させる。
【００２６】
具体的には、ＣＰＵ２５１は、例えば、「判断モード」として「自動判断モード」が設定されている際に、例えば、再生データ処理部２２において、拡張子に基づいて、再生データに少なくとも映像データが含まれるか否かを判断する。すなわち、映像データが含まれると判断された再生データには、音声データが含まれていても良いし、含まれていなくても良い。
【００２７】
より具体的には、ＣＰＵ２５１は、例えば、拡張子に基づいて、再生部２１により読み取られたデータの中に、動画フォーマットや画像フォーマットのデータ（ファイル）が含まれていると判断した場合は、再生データに映像データが含まれると判断するとともに、再生部２１により読み取られたデータの中に、動画フォーマットや画像フォーマットのデータ（ファイル）が含まれておらず、音声フォーマットや楽曲フォーマットのデータ（ファイル）が含まれていると判断した場合は、再生データに映像データが含まれないと判断する。
ＣＰＵ２５１は、かかる判断プログラム２５３ｂを実行することによって、判断手段として機能する。
【００２８】
識別情報送信制御プログラム２５３ｃは、例えば、「判断モード」として「自動判断モード」が設定されている際、判断プログラム２５３ｂを実行したＣＰＵ２５１により再生データに映像データが含まれていないと判断された場合に、再生データ送信部２３に、予め定められた映像無識別信号をテレビジョン受信機３（再生データ受信部３３）に対して送信させるとともに、判断プログラム２５３ｂにより再生データに映像データが含まれていると判断された場合に、再生データ送信部２３に、予め定められた映像有識別信号をテレビジョン受信機３（再生データ受信部３３）に対して送信させる機能を、ＣＰＵ２５１に実現させる。
また、識別情報送信制御プログラム２５３ｃは、例えば、「判断モード」として「手動判断モード」が設定されている際、操作部２４により音声データのみのデータを再生させるよう指定された場合に、再生データ送信部２３に、映像無識別信号をテレビジョン受信機３（再生データ受信部３３）に対して送信させるとともに、操作部２４により映像データを含むデータを再生させるよう指定された場合に、再生データ送信部２３に、映像有識別信号をテレビジョン受信機３（再生データ受信部３３）に対して送信させる機能を、ＣＰＵ２５１に実現させる。
【００２９】
ここで、映像無識別信号とは、映像データが含まれていない再生データを識別するための識別信号であり、映像有識別信号とは、映像が含まれている再生データを識別するための識別信号である。これらの識別信号の構成（波形等）は、データ再生システム１で予め定められて、例えば、再生装置２（ＲＯＭ２５３等）及びテレビジョン受信機３（ＲＯＭ４２３等）に予め記憶されている。
また、再生装置２は、例えば、再生データをテレビジョン受信機３に対して送信する前に、所定の間、ブルーバック信号をアナログ映像データとしてテレビジョン受信機３に対して送信するようになっている。
【００３０】
具体的には、ＣＰＵ２５１は、例えば、判断プログラム２５３ｂを実行したＣＰＵ２５１により再生データに映像データが含まれていないと判断された場合に、或いは、操作部２４により音声データのみのデータを再生させるよう指定された場合に、例えば、再生データ処理部２２において、ブルーバック信号中の輝度信号（Ｙ信号）に映像無識別信号を付加し、そして、そのブルーバック信号を映像出力端子２３ａから出力させる。
また、ＣＰＵ２５１は、例えば、判断プログラム２５３ｂにより再生データに映像データが含まれていると判断された場合に、或いは、操作部２４により映像データを含むデータを再生させるよう指定された場合に、例えば、再生データ処理部２２において、ブルーバック信号中の輝度信号（Ｙ信号）に映像有識別信号を付加し、そして、そのブルーバック信号を映像出力端子２３ａから出力させる。
【００３１】
より具体的には、ＣＰＵ２５１は、例えば、図２に示すように、ブルーバック信号中の輝度信号（Ｙ信号）における、１フレーム中の予め定められた１ラインに、予め定められた映像無識別信号又は映像有識別信号を重畳させて、テレビジョン受信機３に対して送信させる。そして、その後、再生データをテレビジョン受信機３に対して送信させる。
ここで、識別情報送信手段は、識別情報送信制御プログラム２５３ｃを実行したＣＰＵ２５１と、再生データ送信部２３と、から構成される。
【００３２】
＜テレビジョン受信機＞
テレビジョン受信機３は、例えば、デジタル放送信号を受信して映像及び音声を出力するテレビジョン受信機である。
具体的には、テレビジョン受信機３は、例えば、図１に示すように、放送信号受信部３１と、放送信号処理部３２と、再生データ受信部３３と、Ａ／Ｄ変換部３４と、映像処理部３５と、表示部３６と、Ｄ／Ａ変換部３７と、音声処理部３８と、音声出力部３９と、通電量制御部４０と、操作部４１と、制御部４２と、等を備えて構成される。
【００３３】
放送信号受信部３１は、例えば、放送信号受信手段として、映像データ及び音声データを含むテレビジョン放送信号を受信する。
具体的には、放送信号受信部３１は、例えば、アンテナ３１ａにより受信されたデジタル放送波の中から、選局された一の物理チャンネルに対応する周波数帯域に存在するデジタル放送信号を受信し、当該デジタル放送信号を変調して、中間周波信号を放送信号処理部３２に出力する。
【００３４】
放送信号処理部３２は、例えば、放送信号受信部３１から入力されたデジタル放送信号（中間周波信号）に対してデジタル復調や誤り訂正などの所定の処理を施して、トランスポートストリーム（以下「ＴＳ」という。）を生成する。そして、例えば、当該ＴＳを解読して、当該ＴＳを構成する各ＴＳパケットを判別し、ユーザ所望の番組に関連するＴＳパケットにかかるデータを、デジタル映像データやデジタル音声データなどの複数のデータに分離して、当該分離されたデジタル映像データを映像処理部３５に出力するとともに、当該分離されたデジタル音声データをＤ／Ａ変換部３７に出力する。
【００３５】
再生データ受信部３３は、例えば、Ｄ端子である映像入力端子３３ａ、ＲＣＡ端子である音声入力端子３３ｂ等を備えて構成され、例えば、再生データ受信手段として、再生装置２から送信されたアナログ映像データ及び／又はアナログ音声データを含む再生データを受信する。
具体的には、再生データ受信部３３は、例えば、Ｄ端子ケーブルＣ１を介して再生装置２の映像出力端子２３ａから映像入力端子３３ａに入力されたアナログ映像データ又はブルーバック信号をＡ／Ｄ変換部３４に出力するとともに、ＲＣＡケーブルＣ２を介して再生装置２の音声出力端子２３ｂから音声入力端子３３ｂに入力されたアナログ音声データを音声処理部３８に出力する。
【００３６】
Ａ／Ｄ変換部３４は、例えば、再生データ受信部３３から入力されたアナログ映像データ又はブルーバック信号をデジタル映像データに変換して、映像処理部３５に出力する。
【００３７】
映像処理部３５は、放送信号処理部３２から入力されたデジタル映像データ又はＡ／Ｄ変換部３４から入力されたデジタル映像データにデコード等の各種の映像処理を施して、表示部３６に出力する。
【００３８】
表示部３６は、例えば、ＬＣＤ（Liquid Crystal Display）パネルやバックライトなどから構成され、例えば、表示手段として、放送信号受信部３１により受信されたテレビジョン放送信号又は再生データ受信部３３により受信された再生データに含まれる映像データ（すなわち、映像処理部３５から入力された映像データ）に基づく映像を出力する。
【００３９】
Ｄ／Ａ変換部３７は、例えば、放送信号処理部３２から入力されたデジタル音声データをアナログ音声データに変換して、音声処理部３８に出力する。
【００４０】
音声処理部３８は、例えば、Ｄ／Ａ変換部３７から入力されたアナログ音声データ又は再生データ受信部３３から入力されたアナログ音声データにデコードや増幅などの各種音声処理を施して、音声出力部３９に出力する。
【００４１】
音声出力部３９は、例えば、スピーカ等から構成され、例えば、音声出力手段として、放送信号受信３１により受信されたテレビジョン放送信号又は再生データ受信部３３により受信された再生データに含まれる音声データ（すなわち、音声処理部３８から入力された音声データ）に基づく音声を出力する。
【００４２】
通電量制御部４０は、例えば、テレビジョン受信機３を構成する各部に電源を供給する電源部（図示省略）からの、放送信号受信部３１、放送信号処理部３２及び表示部３６への通電量を制御する。
ここで、再生装置２では、放送信号受信部３１、放送信号処理部３２及び表示部３６への通電量に関する「通電モード」として、通常の通電量よりも低い通電量とする「低通電モード」、或いは、通常の通電量とする「通常通電モード」がテレビジョン受信機３に設定されるようになっている。
【００４３】
具体的には、通電量制御部４０は、「通電モード」として「通常通電モード」が設定されている際、電源部からの、放送信号受信部３１、放送信号処理部３２及び表示部３６への通電量が、通常の通電量となるよう制御する。すなわち、通電量制御部４０は、「通電モード」として「通常通電モード」が設定されている際、電源部からの、放送信号受信部３１、放送信号処理部３２及び表示部３６への通電量を制限しない。
また、通電量制御部４０は、「通電モード」として「低通電モード」が設定されている際、電源部からの、放送信号受信部３１、放送信号処理部３２及び表示部３６への通電量が、通常の通電量よりも低い通電量となるよう制御する。すなわち、通電量制御部４０は、「通電モード」として「低通電モード」が設定されている際、例えば、電源部からの、放送信号受信部３１、放送信号処理部３２及び表示部３６への通電を遮断する。
【００４４】
操作部４１は、例えば、テレビジョン受信機３用のリモートコントローラ及び当該リモートコントローラと通信可能なリモコン受信部、テレビジョン受信機３の外面に設けられた操作ボタン等から構成され、例えば、ユーザにより操作されると、当該操作に伴う各種信号を制御部４２に出力する。
【００４５】
制御部４２は、例えば、テレビジョン受信機３を構成する各部を集中制御する。
具体的には、制御部４２は、例えば、図１に示すように、ＣＰＵ４２１と、ＲＡＭ４２２と、記憶部４２３と、等を備えて構成される。
【００４６】
ＣＰＵ４２１は、例えば、記憶部４２３に記憶されたテレビジョン受信機３用の各種処理プログラムに従って各種の制御動作を行う。
【００４７】
ＲＡＭ４２２は、例えば、ＣＰＵ４２１によって実行される処理プログラムなどを展開するためのプログラム格納領域、入力データや上記処理プログラムが実行される際に生じる処理結果などを格納するデータ格納領域等を備える。
【００４８】
記憶部４２３は、例えば、テレビジョン受信機３で実行可能なシステムプログラム、当該システムプログラムで実行可能な各種処理プログラム、これら各種処理プログラムを実行する際に使用されるデータ、ＣＰＵ４２１によって演算処理された処理結果のデータ等を記憶する。なお、プログラムは、コンピュータが読み取り可能なプログラムコードの形で記憶部４２３に記憶されている。
【００４９】
具体的には、記憶部４２３は、例えば、図１に示すように、出力制御プログラム４２３ａと、切替プログラム４２３ｂと、等を記憶している。
【００５０】
出力制御プログラム４２３ａは、例えば、テレビジョン受信機３を構成する各部を制御して、テレビジョン放送信号を受信させ、当該受信されたテレビジョン放送信号に基づく映像及び音声をそれぞれ表示部３６及び音声出力部３９から出力させる機能を、ＣＰＵ４２１に実現させる。
また、出力制御プログラム４２３ａは、例えば、テレビジョン受信機３を構成する各部を制御して、再生装置２から送信された再生データに基づく映像及び／又は音声をそれぞれ表示部３６及び音声出力部３９から出力させる機能を、ＣＰＵ４２１に実現させる。
【００５１】
切替プログラム４２３ｂは、例えば、放送信号受信部３１、放送信号処理部３２及び表示部３６への通電量に関する「通電モード」を、通常の通電量よりも低い通電量とする「低通電モード」と、通常の通電量とする「通常通電モード」と、に切り替える機能を、ＣＰＵ２５１に実現させる。
【００５２】
具体的には、ＣＰＵ２５１は、例えば、再生データ受信部３３が映像無識別信号を受信した場合に、「通電モード」を「低通電モード」に切り替えるとともに、再生データ受信部３３が映像有識別信号を受信した場合に、「通電モード」を「通常通電モード」に切り替える。
より具体的には、ＣＰＵ４２１は、例えば、映像処理部３５において、Ａ／Ｄ変換部３４から入力されたデジタル映像データに含まれるデジタルＹＰｂＰｒ信号における、１フレーム中の予め定められた１ラインから映像無識別情報が検出された場合に、「通電モード」を「低通電モード」に切り替えて設定するとともに、Ａ／Ｄ変換部３４から入力されたデジタル映像データに含まれるデジタルＹＰｂＰｒ信号における、１フレーム中の予め定められた１ラインから映像有識別情報が検出された場合に、「通電モード」を「通常通電モード」に切り替えて設定する。
ＣＰＵ４２１は、かかる切替プログラム４２３ｂを実行することによって、切替手段として機能する。
【００５３】
＜再生データ送信処理＞
次に、データ再生システム１が備える再生装置２による再生データの送信に関する処理について、図３のフローチャートを参照して説明する。
【００５４】
まず、ＣＰＵ２５１は、操作部２４から、再生装置２に装着されている記録媒体（ＤＶＤ又はＣＤ）に記録されたデータを再生するよう指示されたか否かを判断する（ステップＳ１１）。
【００５５】
ステップＳ１１で、再生装置２に装着されている記録媒体に記録されたデータを再生するよう指示されていないと判断すると（ステップＳ１１；Ｎｏ）、ＣＰＵ２５１は、ステップＳ１１の処理を繰り返して行う。
【００５６】
一方、ステップＳ１１で、再生装置２に装着されている記録媒体に記録されたデータを再生するよう指示されたと判断すると（ステップＳ１１；Ｙｅｓ）、ＣＰＵ２５１は、「判断モード」として「自動判断モード」が設定されているか否かを判断する（ステップＳ１２）。
【００５７】
ステップＳ１２で、「自動判断モード」が設定されていると判断すると（ステップＳ１２；Ｙｅｓ）、ＣＰＵ２５１は、再生制御プログラム２５３ａを実行して、再生装置２に装着されている記録媒体に記録されたデータの再生を開始し、判断プログラム２５３ｂを実行して、再生データに映像データが含まれるか否かを判断する（ステップＳ１３）。
【００５８】
ステップＳ１３で、再生データに映像データが含まれていないと判断すると（ステップＳ１３；Ｎｏ）、ＣＰＵ２５１は、識別情報送信制御プログラム２５３ｃを実行して、再生データ送信部２３に、映像無識別信号を送信させる（ステップＳ１４）。
【００５９】
次いで、ＣＰＵ２５１は、再生データ送信部２３からの再生データの送信を開始して（ステップＳ１５）、本処理を終了する。
【００６０】
一方、ステップＳ１３で、再生データに映像データが含まれていると判断すると（ステップＳ１３；Ｙｅｓ）、ＣＰＵ２５１は、識別情報送信制御プログラム２５３ｃを実行して、再生データ送信部２３に、映像有識別信号を送信させて（ステップＳ１６）、ステップＳ１５の処理に移行する。
【００６１】
また、ステップＳ１２で、「自動判断モード」が設定されていないと判断すると（ステップＳ１２；Ｎｏ）、すなわち、「判断モード」として「手動判断モード」が設定されていると判断すると、ＣＰＵ２５１は、ステップＳ１１において再生するよう指定された記録媒体の種類に応じて処理を分岐させる（ステップＳ１７）。
【００６２】
具体的には、ステップＳ１１においてＣＤに記録されたデータを再生するよう指定された場合（ステップＳ１７；ＣＤ）、すなわち、ステップＳ１１において音声データのみのデータを再生させるよう指定された場合、ＣＰＵ２５１は、ステップＳ１４の処理に移行する。
【００６３】
また、ステップＳ１１においてＤＶＤに記録されたデータを再生するよう指定された場合（ステップＳ１７；ＤＶＤ）、すなわち、ステップＳ１１において映像データを含むデータを再生させるよう指定された場合、ＣＰＵ２５１は、ステップＳ１６の処理に移行する。
【００６４】
＜通電モード切替処理＞
次に、データ再生システム１が備えるテレビジョン受信機３による「通電モード」の切り替えに関する処理について、図４のフローチャートを参照して説明する。
【００６５】
まず、ユーザによる操作部４１の操作によって、テレビジョン受信機３の電源がＯＮされると（ステップＳ２１）、ＣＰＵ４２１は、「通電モード」として「通常通電モード」を設定する（ステップＳ２２）。
【００６６】
次いで、ＣＰＵ４２１は、再生データ受信部３３が映像無識別信号を受信したか否かを判断する（ステップＳ２３）。
【００６７】
ステップＳ２３で、再生データ受信部３３が映像無識別信号を受信していないと判断すると（ステップＳ２３；Ｎｏ）、ＣＰＵ４２１は、ステップＳ２３の処理を繰り返して行う。
【００６８】
一方、ステップＳ２３で、再生データ受信部３３が映像無識別信号を受信したと判断すると（ステップＳ２３；Ｙｅｓ）、ＣＰＵ４２１は、切替プログラム４２１ｂを実行して、「通電モード」を「低通電モード」に切り替える（ステップＳ２４）。
【００６９】
次いで、ＣＰＵ４２１は、再生データ受信部３３が映像有識別信号を受信したか否かを判断する（ステップＳ２５）。
【００７０】
ステップＳ２５で、再生データ受信部３３が映像有識別信号を受信していないと判断すると（ステップＳ２５；Ｎｏ）、ＣＰＵ４２１は、ステップＳ２５の処理を繰り返して行う。
【００７１】
一方、ステップＳ２５で、再生データ受信部３３が映像有識別信号を受信したと判断すると（ステップＳ２５；Ｙｅｓ）、ＣＰＵ４２１は、切替プログラム４２１ｂを実行して、「通電モード」を「通常通電モード」に切り替えて（ステップＳ２６）、ステップＳ２３の処理に移行する。
【００７２】
以上説明した本発明のデータ再生システム１によれば、再生装置２は、再生データに映像データが含まれるか否かを判断し、再生データに映像データが含まれていないと判断された場合に、予め定められた映像無識別信号をテレビジョン受信機３に対して送信するとともに、再生データに映像データが含まれていると判断された場合に、予め定められた映像有識別信号をテレビジョン受信機３に対して送信するようになっている。
そして、本発明のデータ再生システム１によれば、テレビジョン受信機３（本発明のテレビジョン受信機３）は、映像データ及び音声データを含むテレビジョン放送信号を受信する放送信号受信部３１と、再生装置２から送信された再生データを受信する再生データ受信部３３と、放送信号受信部３１により受信されたテレビジョン放送信号又は再生データ受信部３３により受信された再生データに含まれる映像データに基づく映像を出力する表示部３６と、放送信号受信部３１により受信されたテレビジョン放送信号又は再生データ受信部３３により受信された再生データに含まれる音声データに基づく音声を出力する音声出力部３９と、を備え、再生データ受信部３３が再生装置２から送信された映像無識別信号を受信した場合に、放送信号受信部３１、放送信号処理部３２及び表示部３６への通電量に関する「通電モード」を、「低通電モード」に切り替えるとともに、再生データ受信部３３が再生装置２から送信された映像有識別信号を受信した場合に、放送信号処理部３２及び表示部３６への通電量に関する「通電モード」を、「通常通電モード」に切り替えるようになっている。
したがって、テレビジョン受信機受信機３は、外部接続された再生装置２から送信される再生データに映像データが含まれているか否かを、再生装置２からの映像無識別信号や映像有識別信号によって確実に識別することができるとともに、映像無識別信号を受信すると、「通電モード」を「低通電モード」に切り替えて、放送信号受信部３１、放送信号処理部３２及び表示部３６への通電を遮断することができるため、再生装置から送信される再生データに映像データが含まれていない場合に、好適に消費電力を抑えることができる。
【００７３】
また、本発明のデータ再生システム１によれば、再生装置２は、操作部２４により音声データのみのデータを再生させるよう指定された場合に、映像無識別信号をテレビジョン受信機３に対して送信するとともに、操作部２４により映像データを含むデータを再生させるよう指定された場合に、映像有識別信号をテレビジョン受信機３に対して送信するようになっている。
したがって、再生装置２は、再生データに映像データが含まれているか否かの判断を、自動的に行うだけでなく、ユーザからの指示に従って行うこともできるため、より確実に判断することができ、好適である。
【００７４】
なお、本発明は、上記した実施の形態のものに限るものではなく、その要旨を逸脱しない範囲で適宜変更可能である。
【００７５】
再生装置２の映像出力端子２３ａとテレビジョン受信機３の映像入力端子３３ａをＤ端子としたが、これに限ることはなく、映像入出力端子は、映像データを入出力できる端子であれば任意であり、例えば、Ｓ端子、コンポーネント端子、ＲＣＡ端子等であっても良い。
また、再生装置２の音声出力端子２３ｂとテレビジョン受信機３の音声入力端子３３ｂをＲＣＡ端子としたが、これに限ることはなく、音声入出力端子は、音声データを入出力できる端子であれば任意である。
また、再生装置２に２つの出力端子（映像出力端子２３ａと音声出力端子２３ｂ）を備え、テレビジョン受信機３に２つの入力端子（映像入力端子３３ａと音声入力端子３３ｂ）を備えるようにしたが、再生装置２が備える出力端子の個数、テレビジョン受信機３が備える入力端子の個数は、再生装置２とテレビジョン受信機３との間で映像データ及び／又は音声データを含む再生データが送受信できるのであれば任意である。例えば、入出力端子をＨＤＭＩ（High-Definition Multimedia Interface）端子とすると、再生装置２及びテレビジョン受信機３のそれぞれが備える１つのＨＤＭＩ端子で、映像データ及び／又は音声データを含む再生データが送受信できる。
【００７６】
再生装置２とテレビジョン受信機３との間でアナログ映像データ及び／又はアナログ音声データを含む再生データを送受信するようにしたが、例えば、入出力端子をＨＤＭＩ端子として、デジタル映像データ及び／又はデジタル音声データを含む再生データを送受信するようにしても良い。
【００７７】
再生装置２を、再生データを送信する前に、ブルーバック信号を送信するよう構成して、このブルーバック信号（ブルーバック信号中のＹ信号）に映像無識別信号や映像有識別信号を付加するようにしたが、再生データを送信する前に、予め定められた映像無識別信号や映像有識別信号を送信できるのであれば、ブルーバック信号中のＹ信号以外の信号や、ブルーバック信号以外の信号に映像無識別信号や映像有識別信号を付加して送信するようにしても良い。具体的には、例えば、入出力端子がＨＤＭＩ端子である場合は、例えば、ＣＥＣ（Consumer Electronics Control）信号に映像無識別信号や映像有識別信号を付加するようにしても良い。
また、再生データを送信する前に、予め定められた映像無識別信号や映像有識別信号を送信できるのであれば、映像無識別信号や映像有識別信号を他の信号に付加して送信するのではなく、予め定められた映像無識別信号や映像有識別信号のみを送信するようにしても良い。
なお、図２に示す映像無識別信号及び映像有識別信号は、一例であり、これに限られるものではない。
【００７８】
映像無識別信号を、再生データを送信する前に送信するようにしたが、これに限ることはなく、映像無識別信号は、再生データ（映像データが含まれていない再生データ）の送信中の予め定められたタイミングで送信しても良い。具体的には、例えば、再生装置２を、映像データが含まれていない再生データの送信の際に、当該再生データとともに、ブルーバック信号を送信するよう構成し、このブルーバック信号の何れかに、映像無識別信号を付加するようにしても良い。
また、再生装置２を、再生データ（映像データが含まれていない再生データ）の送信の間、常時、映像無識別信号を送信するよう構成して、テレビジョン受信機３を、映像無識別信号の受信が停止した時点で、「通電モード」を「通常通電モード」に切り替えるよう構成しても良い。この場合、映像有識別信号を送信しなくても、「通電モード」が「通常通電モード」に切り替わり、好適である。
【００７９】
「低通電モード」が設定されている際、放送信号受信部３１、放送信号処理部３２及び表示部３６への通電を遮断するようにしたが、これに限ることはなく、「低通電モード」が設定されている際に、放送信号受信部３１、放送信号処理部３２及び表示部３６への通電量が通常よりも低くなるのであれば、「低通電モード」が設定されている際も放送信号受信部３１、放送信号処理部３２及び表示部３６へ通電されていても良い。
また、「通電モード」を切り替えることによって、放送信号受信部３１（放送信号処理部３２を含んでいても良いし、含んでいなくても良い）と、表示部３６と、の両方の通電量を調整するようにしたが、何れか一方の通電量を調整するようにしても良い。
【００８０】
再生装置２として、ＤＶＤプレーヤを例示したが、再生装置２は、記録媒体に記録されたデータの再生を行うことができる装置であれば任意であり、例えば、ＨＤＤプレーヤ等であっても良い。
【図面の簡単な説明】
【００８１】
【図１】本実施形態のデータ再生システムの機能的構成を示す図である。
【図２】映像無識別信号及び映像有識別信号を説明するための図である。
【図３】本実施形態のデータ再生システムが備える再生装置による再生データの送信に関する処理について説明するためのフローチャートである。
【図４】本実施形態のデータ再生システムが備えるテレビジョン受信機（本実施形態のテレビジョン受信機）による「通電モード」の切り替えに関する処理について説明するためのフローチャートである。
【符号の説明】
【００８２】
１  データ再生システム
２  再生装置
３  テレビジョン受信機
２３  再生データ送信部（識別情報送信手段）
２４  操作部（再生データ指定手段）
３１  放送信号受信部（放送信号受信手段）
３３  再生データ受信部（再生データ受信手段）
３６  表示部（表示手段）
３９  音声出力部（音声出力手段）
２５１  ＣＰＵ（判断手段、識別情報送信手段）
２５３ｂ  判断プログラム（判断手段）
２５３ｃ  識別情報送信制御プログラム（識別情報送信手段）
４２１  ＣＰＵ（切替手段）
４２３ｂ  切替プログラム（切替手段）
【図１】
2010135875.tif 000003
【図２】
2010135875.tif 000004
【図３】
2010135875.tif 000005
【図４】
2010135875.tif 000006